(57)【要約】【課題】フレキシブルフラットケーブルとアクチュエータとの電気的接合のはがれを防止し、且つ部材に生じたバリによるフレキシブルフラットケーブルの損傷を、製造コストを抑えながら防止する。【解決手段】フレキシブルフラットケーブル１２は、アクチュエータ１１の複数の電極４３に重なって電気的に接合される平坦部１２ａと、平坦部１２ａの一端を基端として引き出される可撓部１２ｂとを有し、可撓部１２ｂでは、引き出し方向Ｂに直交する方向の幅寸法が平坦部１２ａよりも細幅になるように両側縁を除去した除去部７０が形成されており、平坦部１２ａのほぼ全面を覆うように固着された剛性板１３には、可撓部１２ｂの細幅部７１とほぼ対応する幅の切欠部１３ａと、その両端にて除去部７０に向かって突出する２つの突出部１３ｂが設けられている。【選択図】図４
2007276330.tif 000002
【特許請求の範囲】
【請求項１】
複数のノズルを外部に開口させ内部にインク流路を有するキャビティ部と、このキャビティ部内のインクに選択的に吐出圧力を与えるアクチュエータとを備え、このアクチュエータに駆動信号を出力するフレキシブルフラットケーブルが接合されたインクジェットへッドにおいて、
前記アクチュエータは、前記複数のノズルに対応して設けられた複数の電極を平面状に備え、
前記フレキシブルフラットケーブルは、前記アクチュエータの複数の電極に重なって電気的に接合される平坦部と、前記平坦部の一端を基端として引き出される可撓部とを有し、
前記可撓部では、前記引き出し方向に直交する方向の幅寸法が前記平坦部よりも細幅になるように前記引出し方向に平行な両側縁を除去した除去部が形成されており、
前記フレキシブルフラットケーブルの前記複数の電極と接合される側とは反対側の背面には、前記フレキシブルフラットケーブルよりも剛性が高く且つ少なくとも前記平坦部のほぼ全面を覆う大きさの剛性板が固着され、
前記剛性板の前記可撓部の引き出し側の端縁には、前記可撓部の細幅部分とほぼ対応する幅で、前記引き出し方向と反対側へ入り込んで切り欠いた切欠部が設けられ、その切欠部の前記引き出し方向に直交する方向の両端に、前記可撓部の除去部に向かって突出する２つの突出部が設けられていることを特徴とするインクジェットヘッド。
【請求項２】
前記剛性板は、前記アクチュエータよりも熱伝導性に優れ、前記フレキシブルフラットケーブルを介して前記アクチュエータと熱伝導可能に接していることを特徴とする請求項１に記載のインクジェットヘッド。
【請求項３】
前記キャビティ部の一つの面に前記アクチュエータが積層され、その面に、前記キャビティ部を補強する枠状の補強フレームが、その枠部の内側面と前記アクチュエータの外側面との間に隙間を有して当該アクチュエータを囲むように固定され、
前記補強フレームは、前記アクチュエータよりも前記キャビティ部の一つの面から高く突出し、
前記フレキシブルフラットケーブルの可撓部は、前記補強フレームの枠部の内周よりも内側に位置する平坦部から前記補強フレームの背面側に立ち上がるように引き出されていることを特徴とする請求項１または２に記載のインクジェットヘッド。
【請求項４】
前記剛性板は、金属製の板材をプレス加工して形成したものであって、その表裏面のうちプレス加工によってバリが生じたバリ面を、前記フレキシブルフラットケーブルと当接する側とは反対側に配置することを特徴とする請求項１から３のいずれかに記載のインクジェットヘッド。
【請求項５】
前記剛性板のバリ面には、当該バリ面とその反対側の面とを判別するために、表面加工または印字が施されていることを特徴とする請求項４に記載のインクジェットヘッド。
【請求項６】
前記キャビティ部は、前記補強フレームが固定される面に、インク取入口を有し、前記補強フレームは、そのインク取入口に重なり、インク供給源からのインクを前記インク取入口へ導く接続穴を有しており、
前記補強フレームは、金属製の板材をプレス加工して枠状に形成したものであって、前記補強フレームの表裏面のうちプレス加工によりバリが生じたバリ面を、前記キャビティ部と当接する側とは反対側に配置し、
前記補強フレームにおける前記キャビティ部と反対側の背面では、その枠部の内側縁のうち、少なくとも、前記フレキシブルフラットケーブルの可撓部が引き出される側に位置する内側縁に、バリの除去加工が施されていることを特徴とする請求項３から５のいずれかに記載のインクジェットヘッド。
【発明の詳細な説明】
【技術分野】
【０００１】
本発明は、キャビティ部内のインクをアクチュエータによって選択的に吐出するインクジェットヘッドに関するものである。
【背景技術】
【０００２】
従来からインクジェットヘッドとしては、前面に複数のノズルが配置されて内部にインク流路を有するキャビティユニット（請求項のキャビティ部に相当）と、このキャビティユニット内のインクに選択的に吐出圧力を与える圧電アクチュエータとを有し、この圧電アクチュエータに駆動信号を出力するフレキシブルフラットケーブルが接合された構造が知られている。
【０００３】
例えば、本出願人は、特許文献１等で、キャビティユニットと圧電アクチュエータとフレキシブルフラットケーブルとからなり、薄い扁平形状にインクジェットヘッドを形成し、前記キャビティユニットの背面に、アクチュエータを囲むように枠状の補強フレームを固着し、全体の剛性を高めてからインクジェットヘッドをヘッドホルダに取り付ける構造を開示している。
【０００４】
一方、フレキシブルフラットケーブルは可撓性を有する樹脂フィルムを基材とする帯状の部材であるが、その一端は前記補強フレームの内周の内側においてアクチュエータの背面に電気的に接合されて固定され、他端は外方に引き出されている。従って、補強フレームを前記インクジェットヘッドに固定するときには、フレキシブルフラットケーブルの他端側がアクチュエータの背面から離れる方向に持ち上げられ、補強フレームの上面側を通るように引き出される。また、インクジェットヘッドをヘッドヘッドホルダに固定するときには、特許文献１の図１１に記載されているように、フレキシブルフラットケーブルは、ヘッドホルダ側へ立ち上がるように引き出され、ヘッドホルダの底板に穿設されたスリット孔に挿通される。
【特許文献１】特開２００５−２４６７７９号公報（図７及び図１１）
【発明の開示】
【発明が解決しようとする課題】
【０００５】
前述したように、補強フレームをインクジェットヘッドに固定するときや、インクジェットヘッドをヘッドホルダに固定するときに、フレキシブルフラットケーブルの他端側は持ち上げられ、あるいはその他の製造工程においてインクジェットヘッドを搬送する際にフレキシブルフラットケーブルが揺り動かされるため、フレキシブルフラットケーブルの一端側には、フレキシブルフラットケーブルと圧電アクチュエータとの電気的接合を剥離する方向に力が作用する。
【０００６】
従って、フレキシブルフラットケーブルと圧電アクチュエータとを電気的に接合した後に、可撓部１２ｂを取り扱うと接合はがれによる不良が発生し易くなり、製造工程における歩留まりが悪化するという問題があった。
【０００７】
また、インクジェットヘッドに取り付けられる板状の部材は、プレス加工で製造されることが多いため、プレス加工によるバリがフレキシブルフラットケーブルと接触する位置にあると、フレキシブルフラットケーブルを傷つけ断線を引き起こす虞がある。しかしながら、バリ除去加工を全てのバリに対して施すと製造コストを押し上げるという問題もある。
【０００８】
本発明は、上記問題を解消するためのものであり、フレキシブルフラットケーブルとアクチュエータとの電気的接合のはがれを防止し、且つ部材に生じたバリによるフレキシブルフラットケーブルの損傷を、製造コストを抑えながら防止することのできるインクジェットヘッドの実現を目的とするものである。
【課題を解決するための手段】
【０００９】
前記目的を達成するために、請求項１に記載の発明におけるインクジェットヘッドは、複数のノズルを外部に開口させ内部にインク流路を有するキャビティ部と、このキャビティ部内のインクに選択的に吐出圧力を与えるアクチュエータとを備え、このアクチュエータに駆動信号を出力するフレキシブルフラットケーブルが接合されたインクジェットへッドにおいて、前記アクチュエータは、前記複数のノズルに対応して設けられた複数の電極を平面状に備え、前記フレキシブルフラットケーブルは、前記アクチュエータの複数の電極に重なって電気的に接合される平坦部と、前記平坦部の一端を基端として引き出される可撓部とを有し、前記可撓部では、前記引き出し方向に直交する方向の幅寸法が前記平坦部よりも細幅になるように前記引出し方向に平行な両側縁を除去した除去部が形成されており、前記フレキシブルフラットケーブルの前記複数の電極と接合される側とは反対側の背面には、前記フレキシブルフラットケーブルよりも剛性が高く且つ少なくとも前記平坦部のほぼ全面を覆う大きさの剛性板が固着され、前記剛性板の前記可撓部の引き出し側の端縁には、前記可撓部の細幅部分とほぼ対応する幅で、前記引き出し方向と反対側へ入り込んで切り欠いた切欠部が設けられ、その切欠部の前記引き出し方向に直交する方向の両端に、前記可撓部の除去部に向かって突出する２つの突出部が設けられていることを特徴とするものである。
【００１０】
また、請求項２に記載の発明は、請求項１に記載のインクジェットヘッドにおいて、前記剛性板は、前記アクチュエータよりも熱伝導性に優れ、前記フレキシブルフラットケーブルを介して前記アクチュエータと熱伝導可能に接していることを特徴とするものである。
【００１１】
また、請求項３に記載の発明は、請求項１または２に記載のインクジェットヘッドにおいて、前記キャビティ部の一つの面に前記アクチュエータが積層され、その面に、前記キャビティ部を補強する枠状の補強フレームが、その枠部の内側面と前記アクチュエータの外側面との間に隙間を有して当該アクチュエータを囲むように固定され、前記補強フレームは、前記アクチュエータよりも前記キャビティ部の一つの面から高く突出し、前記フレキシブルフラットケーブルの可撓部は、前記補強フレームの枠部の内周よりも内側に位置する平坦部から前記補強フレームの背面側に立ち上がるように引き出されていることを特徴とするものである。
【００１２】
また、請求項４に記載の発明は、請求項１から３のいずれかに記載のインクジェットヘッドにおいて、前記剛性板は、金属製の板材をプレス加工して形成したものであって、その表裏面のうちプレス加工によってバリが生じたバリ面を、前記フレキシブルフラットケーブルと当接する側とは反対側に配置することを特徴とするものである。
【００１３】
また、請求項５に記載の発明は、請求項４に記載のインクジェットヘッドにおいて、前記剛性板のバリ面には、当該バリ面とその反対側の面とを判別するために、表面加工または印字が施されていることを特徴とするものである。
【００１４】
また、請求項６に記載の発明は、請求項３から５のいずれかに記載のインクジェットヘッドにおいて、前記キャビティ部は、前記補強フレームが固定される面に、インク取入口を有し、前記補強フレームは、そのインク取入口に重なり、インク供給源からのインクを前記インク取入口へ導く接続穴を有しており、前記補強フレームは、金属製の板材をプレス加工して枠状に形成したものであって、前記補強フレームの表裏面のうちプレス加工によりバリが生じたバリ面を、前記キャビティ部と当接する側とは反対側に配置し、前記補強フレームにおける前記キャビティ部と反対側の背面では、その枠部の内側縁のうち、少なくとも、前記フレキシブルフラットケーブルの可撓部が引き出される側に位置する内側縁に、バリの除去加工が施されていることを特徴とするものである。
【発明の効果】
【００１５】
請求項１に記載の発明によれば、フレキシブルフラットケーブルの可撓部の引き出し方向に平行な両側縁に除去部を設け、剛性板に設けた切欠部に可撓部の細幅部分を位置させ、且つ、剛性板に設けた突出部で可撓部の細幅部分の幅方向における外側を覆うように構成しているから、フレキシブルフラットケーブルの可撓部が持ち上げられると、剛性板の切欠部に対応する可撓部の細幅部分が基端となって、フレキシブルフラットケーブルは上方に屈曲し、平坦部における幅方向の両端は剛性板の突出部で押えられたままとなる。
【００１６】
すなわち、可撓部の持ち上げにより、フレキシブルフラットケーブルの平坦部とアクチュエータとの接合を可撓部の引き出し側から剥離するように力が働いても、フレキシブルフラットケーブルの平坦部では、可撓部の細幅部分に連続する部分のみが前記剥離する力を受け、平坦部における幅方向の両端には、前記剥離する力が直接作用しないようにしている。従って、フレキシブルフラットケーブルとアクチュエータとの電気的接合を剥がれ難くすることができる。
【００１７】
請求項２に記載の発明によれば、剛性板は、アクチュエータよりも熱伝導性に優れ、フレキシブルフラットケーブルを介してアクチュエータと熱伝導可能に接しているから、剛性板は、アクチュエータに局所的に発生した熱を、アクチュエータ全体に分散させて放熱することができるので、局所的な発熱によるアクチュエータの動作不良やインクの吐出特性が局所的に変わるのを防止することができる。
【００１８】
請求項３に記載の発明によれば、補強フレームは、その枠部の内側面とアクチュエータの外側面との間に隙間を有してアクチュエータを囲み、且つアクチュエータよりもキャビティ部の一つの面から高く突出してキャビティ部に積層されているから、フレキシブルフラットケーブルの可撓部は、補強フレームとアクチュエータとの間の隙間にて屈曲して、補強フレームの背面側に立ち上がるように引き出される。このとき、請求項１に記載の発明のように、可撓部は、剛性板の切欠部に位置する細幅部分を基端として屈曲するから、切欠部を有しない剛性板を用いた場合に比べて、可撓部は切欠部の奥行き寸法分だけ広くなった隙間にて緩やかに立ち上がることができ、フレキシブルフラットケーブルとアクチュエータとを剥離させるように働く力を弱めることができる。
【００１９】
請求項４に記載の発明によれば、剛性板のバリ面を、フレキシブルフラットケーブルと当接する側とは反対側に配置しているから、バリ面を除去するための加工を付加して製造コストを高めなくても、バリがフレキシブルフラットケーブルを傷つけて断線等の不良を発生させることを防止できる。
【００２０】
請求項５に記載の発明によれば、バリ面とその反対側の面との判別を、剛性板のバリ面に対する表面加工または印字により行っているから、剛性板の形状寸法の仕上がり精度に影響を与えずに、判別のための情報を付加することができる。例えば、バリ面とその反対側の面とを判別するために、剛性板に切欠部や貫通部等を追加工する場合には、追加工による剛性板のうねりや平面度の低下等を発生させるという問題があったが、この請求項５に記載の発明では、この問題を解決できる。
【００２１】
また、前記印字する内容に、剛性板の製造のロット情報を用いれば、剛性板の表裏面の判別ができるとともに、剛性板に起因する不良等が発生したときに、製造工程を遡って原因を調査することも可能となる。
【００２２】
請求項６に記載の発明によれば、補強フレームのバリ面を、キャビティ部と当接する側と反対側に配置しているから、補強フレームとキャビティ部との間でバリによる接着不良等が発生することを防止できる。
【００２３】
また、補強フレームにおけるキャビティ部と反対側の背面では、その枠部の内側縁のうち、少なくとも、フレキシブルフラットケーブルの可撓部が引き出される側に位置する内側縁に、バリの除去加工を施しているから、バリがフレキシブルフラットケーブルを傷つけて断線等を引き起こす不良の発生を、最小限のバリ除去加工で防止することができる。
【発明を実施するための最良の形態】
【００２４】
以下に本発明の基本的な実施形態について説明する。図１は、本発明のインクジェットヘッド１を適用したインクジェットプリンタ１００を示している。実施形態のインクジェットプリンタ１００は、例えば、単独のプリンタ装置としてだけでなく、コピー機能、スキャナ機能、ファクシミリ機能等を備えた多機能装置（ＭＦＤ：Multi Function Device ）のプリンタ機能としても適用することができるものである。インクジェット記録装置１００は、本体フレーム２の内部に備えられ、被記録媒体である用紙ＰＡにインクを吐出させて記録するインクジェットヘッド１がキャリッジ３に搭載されて、主走査方向（Ｙ方向）に沿って走行するように構成されている。
【００２５】
キャリッジ３は、本体フレーム２内に主走査方向（Ｙ方向）に沿って平行状に設けられた後ガイド軸６と前ガイド軸７とに摺動自在に載置されており、本体フレーム２の右後側に配置されたキャリッジ駆動モータ１７と、無端帯であるタイミングベルト１８とにより、主走査方向（Ｙ方向）へ往復移動するように構成されている。用紙ＰＡは、図示しない公知の用紙搬送機構により、主走査方向（Ｙ方向）と直交する副走査方向（Ｘ方向）に沿って、インクジェットヘッド１の下面側を水平状に搬送される（図１の矢印Ａ方向）。この用紙ＰＡに対して、主走査方向（Ｙ方向）に移動するインクジェットヘッド１のノズル４（図５参照）から下向きにインクが吐出されて記録が行われる。
【００２６】
キャリッジ３には、図２に示すように、略箱状のヘッドホルダ８が備えられ、その底板８ａの上面側に、本体フレーム２内に静置されたインク供給源（インクタンク）５ａ〜５ｄからインク供給管１４（１４ａ〜１４ｄ）を介してキャリッジ側に供給されたインクを貯留するダンパー装置９が取り付けられる。この実施形態では４色のインク（ブラック、イエロー、マゼンタ、シアン）のインクが備えられている。ダンパー装置９の内部は、複数のインク室に区画され、インク室に色毎にインクが貯留される。ダンパー装置９には、インク室中のインクに滞留する気泡を除去するための排気弁手段９ｂも備えられている。
【００２７】
ヘッドホルダ８の底板８ａには開口部（図示せず）が貫通形成されており、この開口部の内側では、ダンパー装置９のインク流出口９ａと、インクジェットヘッド１のインク取入口３７とが、後述する補強フレーム１５の接続穴１５ｂと弾性シール部材９ｃとを介して接続され、ダンパー装置９からインクジェットヘッド１にインクが色毎に独立して供給される。なお、説明では、インクジェットヘッド１のノズルの開口面側を前面もしくは下面、その反対側を背面もしくは上面として記載する。
【００２８】
図３に示すように、ヘッドホルダ８の下面側に下向きに開口形成された凹部８ｂには、全体として略扁平形状を有するインクジェットヘッド１が、ノズル４が開口する面を下向きに露出させて収容され、且つ凹部８ｂの天井面となる前記底板８ａとほぼ平行になるように所定の間隔をおいて接着剤１９で固着される。
【００２９】
ヘッドホルダ８の底板８ａには、図２及び図３に示すように、後述するフレキシブルフラットケーブル１２の可撓部１２ｂを挿通させるスリット孔５５と、底板８ａの下面側にインクジェットヘッド１を固着させるための接着剤１９を流し込むための貫通孔５６も穿設されている。
【００３０】
インクジェットヘッド１は、複数のノズル４を外部に開口させ内部にインク流路を有するキャビティユニット（請求項のキャビティ部に相当）１０と、このキャビティユニット１０内のインクに複数のノズル４から選択的に吐出する圧力を与える圧電アクチュエータ１１と、この圧電アクチュエータ１１に駆動信号を出力するフレキシブルフラットケーブル１２とが積層配置される構造のヘッドユニット２０を備え、ヘッドユニット２０の背面側に剛性板１３と補強フレーム１５とを備え、前面側にフロントフレーム１６を備えている。
【００３１】
キャビティユニット１０と圧電アクチュエータ１１とは、いずれもＸ方向に長い平面視略長方形の扁平形状を有しているが、キャビティユニット１０の平面視の外形状は、圧電アクチュエータ１１の外形状よりもひと回り大きく形成されており、キャビティユニット１０の背面の略中央に、圧電アクチュエータ１１が積層されて、複数のノズル４へインクを供給するインク取入口３７がキャビティユニット１０の背面側に開口して形成されている。
【００３２】
フレキシブルフラットケーブル１２は、扁平形状の絶縁材料製（ポリイミド等）のベースフィルムとカバーフィルムとに複数の導線５０が挟まれた構造で、全体として帯状を呈し、その長手方向の一部におけるベースフィルムの表面から、導線５０の端部を露出させることで複数の端子電極５１が設けられている（図７参照）。図７では、導線５０の一部のみを図示している。端子電極５１は、圧電アクチュエータ１１の背面（キャビティユニット１０と反対側の面）に形成されている外部電極４３（図４及び図５参照）に応じたパターンで形成されている。
【００３３】
フレキシブルフラットケーブル１２の長手方向の一端部は、圧電アクチュエータ１１の背面に重なり、フレキシブルフラットケーブル１２の端子電極５１と圧電アクチュエータ１１の外部電極４３とがバンプを介して溶着されて、フレキシブルフラットケーブル１２の平坦部１２ａを構成している。平坦部１２ａのＹ方向側の一端に連続するフレキシブルフラットケーブル１２の部位は、自由に屈曲することができる可撓部１２ｂを構成しており、可撓部１２ｂはヘッドホルダ８の背面側に湾曲しながら立ち上がって引き出される（図３参照）。
【００３４】
フレキシブルフラットケーブル１２には、可撓部１２ｂの長手方向の中途に駆動回路１２ｃとしてチップ状のＩＣが搭載されたＣＯＦ（チップ・オン・フレキシブルフラットケーブル）を適用しており、図３に示すように、可撓部１２ｂが、前記ヘッドホルダ８のスリット孔５５に挿通されてヘッドホルダ８の内側（底板８ａの上面側）に引き出された状態で、駆動回路１２ｃは、ヘッドホルダ８の一方の側板寄りの部分にて、ヒートシンク６０と弾性部材６１とに挟持されるように構成されている。これにより、駆動回路１２ｃの発熱をヒートシンク６０によって放熱するようにしている。
【００３５】
フレキシブルフラットケーブル１２の可撓部１２ｂには、図４及び図７に示すように、その引出し方向Ｂに直交する方向の幅寸法が平坦部１２ａよりも細幅になるように、引き出し方向Ｂに平行な両側縁を除去した除去部７０が形成されている。除去部７０は、可撓部１２ｂの側縁を外方に向かって開口するように切り欠いて形成され、この除去部７０によって、可撓部１２ａの基端側にはくびれが形成されており、このくびれを細幅部７１とする。除去部７０を構成する２つの側辺と底辺のうち、少なくとも平坦部１２ａに近い側の側辺７０ａ（図７参照）は、外方に向かって除去部７０の開口を広げるように傾斜することが望ましく、これにより、細幅部７１を、平坦部１２ａから緩やかにくびれ（細幅に）させることができる。
【００３６】
なお、この実施形態では、除去部７０を切欠状に形成しているが、可撓部１２ｂの両側縁全てに除去部を設け、可撓部１２ｂを全て細幅に形成してもよい。
【００３７】
剛性板１３は、フレキシブルフラットケーブル１２の背面における圧電アクチュエータ１１と対応する位置に積層され、圧電アクチュエータ１１及びフレキシブルフラットケーブル１２の平坦部１２ａのほぼ全面を覆う大きさを有する平面視長方形状の扁平な板材である、剛性板１３は、フレキシブルフラットケーブル１２よりも剛性が高く、且つ、圧電アクチュエータ１１及びフレキシブルフラットケーブル１２よりも熱伝導性に優れた素材からなっており、例えば、アルミニウム、銅、ＳＵＳなどの金属板が適用されている。この剛性板１３は、ヘッドユニット２０全体の剛性を高める効果だけでなく、フレキシブルフラットケーブル１２を介して圧電アクチュエータ１１に密着することで、圧電アクチュエータ１１に局所的な発熱があっても圧電アクチュエータ１１全体の温度分布を均一化し、且つ放熱する効果も奏するものである。
【００３８】
この剛性板１３の端縁のうち、フレキシブルフラットケーブル１２の可撓部１２ｂの引き出し側に位置する端縁には、図４及び図７に示すように、可撓部１２ｂの細幅部７１にほぼ対応する幅で、引き出し方向Ｂと反対側へ入り込んで切り欠いた切欠部１３ａが設けられ、切欠部１３ａの引き出し方向Ｂに直交する方向の両端（切欠部１３ａを挟む両端）に、可撓部１２ｂの除去部７０に向かって突出する２つの突出部１３ｂが設けられている。この突出部１３ｂは、少なくともその先端が前記除去部７０と積層方向の上下位置で重なるように形成されている。詳細には、除去部７０の前記側辺７０ａと突出部１３ｂとが平面視で交差している。また、図７に示す、切欠部１３ａの奥行き寸法（切り込み量）Ｌは、切欠部１３ａを除く剛性板１３の部分で、圧電アクチュエータ１１の外部電極４３とフレキシブルフラットケーブル１２の端子電極５１との接合箇所のすべてを必ず覆うように、比較的浅く設定されている。
【００３９】
剛性板１３は、金属製の板材をプレス加工することで形成され、その表裏面の一方には、表裏面を判別するための判別情報６５として、表面加工または印字が施されている。表面加工としては、メッキ、塗装、光沢仕上げ等が適用でき、印字としては、スタンプ、ペンによるマーク、刻印が適用できる。ここでは、剛性板１３のバリ面側となる表面、すなわち、フレキシブルフラットケーブル１２と当接する面と反対側の面に、判別情報６５として製造ロットの情報をスタンプで印刷している。これにより、表裏面の判別と、製造ロット情報の把握との両方を、判別情報６５を確認することで行えるようにしている。
【００４０】
補強フレーム１５は、キャビティユニット１０を補強するための部材であり、キャビティユニット１０よりも剛性に優れた素材（例えば、ＳＵＳなどの金属板）からなり、その外周が矩形で、平面視においてキャビティユニット１０よりもひと回り大きく形成された扁平な板材であり、圧電アクチュエータ１１の平面形状よりもひと回り大きい貫通口部を有する枠形状に形成されている。この補強フレーム１５を、キャビティユニット１０の背面に沿って圧電アクチュエータ１１を囲むように積層することで、薄い扁平形状のキャビティユニット１０の変形や歪みを防止しており、補強フレーム１５の枠部の内側面（内周面）と圧電アクチュエータ１１の外側面（外周面）との間には隙間が形成されている。この補強フレーム１５も金属製の板材をプレス加工することで形成している。
【００４１】
補強フレーム１５の厚み寸法は、キャビティユニット１０の背面に補強フレーム１５を積層したときに、同じキャビティユニット１０の背面に積層された圧電アクチュエータ１１よりも、補強フレーム１５が高く突出するように設定されている。
【００４２】
補強フレーム１５の枠部１５ａは、平面視でＸ方向に細長いロの字形状を呈し、Ｙ方向に平行な一方の短辺寄りの部位にその表裏面を貫通して、前述した接続穴１５ｂが４つ並設されている。また、補強フレーム１５の枠部１５ａのうち、Ｘ方向に平行な一方の長辺の上方を、フレキシブルフラットケーブル１２の可撓部１２ｂが引き出される。この長辺を第１辺部１５ｃとする。
【００４３】
フロントフレーム１６は、平面視コの字状の扁平な板材で、ヘッドユニット２０の前面側にてキャビティユニット１０を囲むように配置され、補強フレーム１５の前面に固着されるものである（図２及び図３参照）。フロントフレーム１６によって、キャビティユニット１０のノズル面とヘッドホルダ８の周囲との段差を解消し、払拭部材等でノズル面をクリーニングする際の引っ掛かりを防止している。
【００４４】
次に、この実施形態でのキャビティユニット１０の構成について説明する。
【００４５】
キャビティユニット１０は、図５及び図６に示すように、ノズルプレート２１、スペーサプレート２２、ダンパープレート２３、２枚のマニホールドプレート２４ａ、２４ｂ、サプライプレート２５、ベースプレート２６、及びキャビティプレート２７の合計８枚の薄い平板を、その各平板面が対向するように接着剤を介して積層し接合した構造となっている。
【００４６】
実施形態では、各プレート２１〜２７は４０〜１５０μｍ程度の厚さを有し、ノズルプレート２１はポリイミド等の合成樹脂製で、その他のプレート２２〜２７は４２％ニッケル合金鋼板製である。ノズルプレート２１には、微小径（２０μｍ程度）のインク吐出用のノズル４が微小間隔で多数個穿設されており、ノズル４は、Ｘ方向に沿って延びる列状に配置され、５列設けられている。
【００４７】
各ノズル４は、スペーサプレート２２、ダンパープレート２３、２枚のマニホールドプレート２４ａ、２４ｂ、サプライプレート２５、ベースプレート２６に穿設されている貫通路３５を介して、キャビティプレート２７の圧力室３１にそれぞれ接続されている（図６参照）。
【００４８】
キャビティプレート２７には、複数の圧力室３１がノズル４の配列に対応して５列に配列されている。各圧力室３１は、図５に示すように、平面視細長形状でその長手方向がＹ方向に沿うようにしてキャビティプレート２７の板厚を貫通して形成されている。各圧力室３１の長手方向の一端は、ベースプレート２６に穿設された連通孔３２と、サプライプレート２５に形成された接続流路３３とを介して共通インク室３４に連通している。各圧力室３１の長手方向の他端には前記貫通路３５が接続されている。
【００４９】
２枚のマニホールドプレート２４ａ，２４ｂには、Ｘ方向に沿って長い５つの（共通インク室３４となるべき）溝が板厚を貫通して形成されており、２枚のマニホールドプレート２４ａ、２４ｂを積層し、かつその上面をサプライプレート２５にて覆い、下面をダンパープレート２３にて覆うことにより、合計５つの共通インク室（マニホールド室）３４が形成される。
【００５０】
マニホールドプレート２４ａの下面に隣接するダンパープレート２３の下面側には、各共通インク室３４と位置および形状を一致させ且つ共通インク室３４と隔絶されたダンパー室３６が凹み形成されている。このダンパープレート２３は、ダンパー室３６上部の薄い板状の天井部が弾性変形により自由に振動することで、圧力室３１から共通インク室３４に伝播した圧力変動を吸収減衰させ、圧力変動が他の圧力室３１へ伝播するクロストークを抑制する。
【００５１】
また、キャビティプレート２７のＹ方向に平行な一方の辺寄りには、前述のインク取入口３７が４つ穿設されており、各インク取入口３７と上下位置を対応させて、ベースプレート２６とサプライプレート２５とにそれぞれ４つの接続口３８が穿設されている。４つのインク取入口３７には、インク中の異物を除去するためのフィルタ体３９が接着剤等で一括して貼着されている。
【００５２】
この実施形態では、図５における左側の１つのインク取入口３７から、同じく左側の２つの共通インク室３４、３４に、ブラックインクが分岐して流入するようにし、ブラックインクを吐出するノズル列を２列に設定している。これは、ブラックインクがその他のカラーインクに比べて使用頻度が高いことを考慮したものであり、他の３つのインク取入口３７には、シアン、イエロー、マゼンタの各インクがそれぞれ単独に供給される。
【００５３】
このように、キャビティユニット１０では、インクが、インク取入口３７から接続口３８を経て共通インク室３４に流入し、接続流路３３及び連通孔３２を経由して圧力室３１に至り、さらに貫通路３５を経てノズル４に至るインク流路が形成されている。
【００５４】
圧電アクチュエータ１１は、全ての圧力室３１にわたる大きさを有する扁平形状で、特開２００２−２５４６３４号公報等に開示された公知のものと同様に、扁平な方向と直交する方向に積層される複数のセラミックス層１１ａと、このセラミックス層１１ａ間に挟まれた電極４１，４２とからなる。電極４１，４２のうち少なくとも一方の電極は、圧力室３１ごとに対応して配置されており、電極間に電圧を選択的に印加することにより圧力室３１と対応するセラミックス層の部分を変位させ、圧力室３１内のインクに吐出圧力を加えることができる。最上層のセラミックス層の上面には、圧力室３１に対応した電極と、セラミックス層を積層方向に貫通した電気的なスルーホールを介して接続した複数の外部電極４３が平面状に配置されている。そして、各外部電極４３は、フレキシブルフラットケーブル１２に形成された端子電極５１と個別に電気的に接続されている。
【００５５】
次に、上記構成のインクジェットヘッド１をヘッドホルダ８に組み付ける方法について説明する。
【００５６】
まず、キャビティユニット１０と圧電アクチュエータ１１と積層し、次いで、この圧電アクチュエータ１１の外部電極４３とフレキシブルフラットケーブル１２の端子電極５１とを電気的に接続する。この電気的な接続は、外部電極４３と端子電極５１のいずれか一方にあらかじめバンプを形成し、外部電極４３と端子電極５１とを対向させて、押圧、溶融して、接合が行われる。そして、この接合により、フレキシブルフラットケーブル１２の一端が、圧電アクチュエータ１１に重なる平坦部１２ａとなる。
【００５７】
次に、フレキシブルフラットケーブル１２の平坦部１２ａの背面を覆うように、粘着テープ等の接着剤で剛性板１３を貼着するが、このとき、剛性板１３の切欠部１３ａに、可撓部１２ｂの細幅部７１が位置し、且つ剛性板１３の各突出部１３ｂの先端が、可撓部１２ｂの除去部７０の上方に重なるようにして位置合わせする。
【００５８】
次に、キャビティユニット１０の背面に、圧電アクチュエータ１２を囲むように補強フレーム１５を接着剤で固定する、このとき、フレキシブルフラットケーブル１２の可撓部１２ｂは、補強フレーム１５の第１辺部１５ｃの背面側を通るように持ち上げられる。
【００５９】
次に、フレキシブルフラットケーブル１２の可撓部１２ｂを、ヘッドホルダ８の底板８ａに穿設したスリット孔５５に挿通させて、補強フレーム１５の背面が、ヘッドホルダ８の底板８ａの下面と隙間を空けて平行状になるように位置合わせする。そして、底板８ａの貫通孔５６から、接着剤１９を流し込んで、インクジェットヘッド１をヘッドホルダ８に固着する。次いで、インクジェットヘッド１のノズル面を囲むようにフロントフレーム１６を補強フレーム１５の前面に接着剤で固着する。
【００６０】
上記組み立て工程では、補強フレーム１５をキャビティユニット１０の背面に固着するときや、インクジェットヘッド１をヘッドホルダ８に固着するときに、フレキシブルフラットケーブル１２の可撓部１２ｂを上方に持ち上げ、あるいはその他の製造工程においてインクジェットヘッドを搬送する際にフレキシブルフラットケーブルが揺り動かされるため、平坦部１２ａと圧電アクチュエータ１１との接合を、可撓部１２ｂの引き出し側から剥離するように力が作用する。
【００６１】
フレキシブルフラットケーブル１２の平坦部１２ａは、フレキシブルフラットケーブル１２よりも剛性の高い剛性板１３で覆われ、剛性板１３の剛性により平坦部１２ａを圧電アクチュエータ１１の背面に沿うように保たれるから、剛性板１３を設けない場合に比べると、平坦部１２ａの剥離を抑制する効果を奏する。
【００６２】
加えて、フレキシブルフラットケーブル１２を持ち上げたときに、フレキシブルフラットケーブル１２は、剛性板１３の切欠部１３ａに位置する細幅部７１を基端として屈曲する。すなわち、可撓部１２ｂの引き出し方向Ｂに位置する平坦部１２ａの端縁のうち、切欠部１３ａの幅に対応する位置には、平坦部１２ａを剥離する力が作用するものの、切欠部１３ａの幅の外側に対応する位置は、剛性板１３の突出部１３ｂに押えられ、平坦部１２ａを剥離する力が直接的には作用し難くくなっているから、より一層、平坦部１２ａの剥離を防止する効果が高められる。
【００６３】
また、可撓部１２ｂは、図８（ａ）に示すように、剛性板１３の切欠部１３ａに位置する細幅部７１を基端として立ち上がるから、切欠部１３ａを設けない図８（ｂ）に示す場合に比べると、切欠部１３ａの奥行き寸法（切り込み量）Ｌ分だけ補強フレーム１５の内周面との間の隙間が広がり、緩やかに屈曲することができる。これも、平坦部１２ａの剥離を防止する効果を奏する。
【００６４】
次に、剛性板１３及び補強フレーム１５の加工形状とその取り付けについて説明する。剛性板１３及び補強フレーム１５は、いずれも金属製の板材をプレス加工することにより形成したものであり、そのため、これらにはプレス加工によるバリが発生する。バリを除去するために、バリ除去加工（バレル加工、面押し加工等）を付加することも考えられるが、全てのバリを除去するようにバリ除去加工を行うと、製造コストが嵩むため、できるだけバリ除去加工を少なくし、しかもバリによる悪影響をなくすことが求められる。
【００６５】
従って、剛性板１３については、図８（ａ）に示すように、バリ８０が発生したバリ面８１を、フレキシブルフラットケーブル１２と当接する側とは反対側に配置することで、剛性板１３のバリが、フレキシブルフラットケーブル１２に接触して、断線等を引き起こす虞を無くすことができる。
【００６６】
また、補強フレーム１５については、バリ８０が発生したバリ面８１を、キャビティユニット１０と当接する側と反対側に配置し、補強フレーム１５の第１辺部１５ｃの内側縁にのみ、面押しによるバリ除去加工を施している。これにより、フレキシブルフラットケーブル１２の可撓部１２ｂが第１辺部１５ｃに当接しても、バリに傷つけられる虞をなくすことができる。また、バリ除去加工を最小限の箇所に限定することで、製造コストが嵩むことも防止できる。
【００６７】
また、補強フレーム１５のキャビティユニット１０と当接する側の面は、バリ面８１の反対側であるダレ面になっているので、補強フレーム１５とキャビティユニット１０との接着面が密着しやすく、バリによる接着面の浮きで、接着不良、インク漏れ、クロストーク等の不都合が発生することを防止することができる。
【００６８】
なお、上記実施形態では、アクチュエータとして、圧電方式のものを用いたが、静電気により振動板を変位させてインクを吐出させるなど他の駆動方式においても、アクチュエータの一つの面にフレキシブルフラットケーブルを積層して引き出す形態ならば、本発明を適用することができる。
【図面の簡単な説明】
【００６９】
【図１】本発明のインクジェットヘッドが適用されたインクジェット記録装置の平面図である。
【図２】キャリッジの分解斜視図である。
【図３】キャリッジをＹ方向に沿って切断した断面図である。
【図４】ヘッドユニットと均熱板の一部分解斜視図である。
【図５】キャビティユニットの分解斜視図である。
【図６】（ａ）は図４のＶＩ−ＶＩ線矢視断面図、（ｂ）は前記（ａ）のｂ−ｂ線矢視断面図である。
【図７】フレキシブルフラットケーブルと剛性板との位置関係を示す下面図である。
【図８】（ａ）は切欠部を有する剛性板を用いた場合の断面図、（ｂ）は切欠部のない剛性板を用いた場合の断面図である。
【符号の説明】
【００７０】
１        インクジェットヘッド
４        ノズル
８        ヘッドホルダ
１０      キャビティユニット
１１      圧電アクチュエータ
１２      フレキシブルフラットケーブル
１２ａ    平坦部
１２ｂ    可撓部
１３      剛性板
１３ａ    切欠部
１３ｂ    突出部
１５      補強フレーム
１６      フロントフレーム
４３      外部電極
５１      端子電極
７０      除去部
７１      細幅部
１００    インクジェットプリンタ
【図１】
2007276330.tif 000003
【図２】
2007276330.tif 000004
【図３】
2007276330.tif 000005
【図４】
2007276330.tif 000006
【図５】
2007276330.tif 000007
【図６】
2007276330.tif 000008
【図７】
2007276330.tif 000009
【図８】
2007276330.tif 000010